(57)【要約】【課題】画像に対する処理のための操作が簡単に行える装置を提供すること。【解決手段】画像処理装置は、画像を再生して表示手段に表示する再生手段と、所定の処理に対応する処理情報を表示手段に表示する表示制御手段と、画像または処理情報の表示位置を移動する操作を検出する操作検出手段と、操作検出手段により検出された操作に応じて、画像に対して所定の処理を行う画像処理手段と、を備え、画像処理手段は、画像と処理情報との間の距離を近づけるように画像または処理情報の表示位置を移動する操作に応じて、画像に対して所定の処理を開始し、画像と処理情報とを遠ざけるように画像または処理情報の表示位置を移動する操作に応じて、所定の処理を終了する。【選択図】図１
2015158777.tif 000002
【特許請求の範囲】
【請求項１】
画像を再生して表示手段に表示する再生手段と、
所定の処理に対応する処理情報を前記表示手段に表示する表示制御手段と、
前記画像または前記処理情報の表示位置を移動する操作を検出する操作検出手段と、
前記操作検出手段により検出された操作に応じて、前記画像に対して前記所定の処理を行う画像処理手段と、
を備え、
前記画像処理手段は、前記画像と前記処理情報との間の距離を近づけるように前記画像または前記処理情報の表示位置を移動する操作に応じて、前記画像に対して前記所定の処理を開始し、前記画像と前記処理情報とを遠ざけるように前記画像または前記処理情報の表示位置を移動する操作に応じて、前記所定の処理を終了することを特徴とする画像処理装置。
【請求項２】
請求項１に記載の画像処理装置において、
前記画像処理手段は、前記画像と前記処理情報とが重なった場合に前記画像に対して前記所定の処理を開始し、前記画像と前記処理情報とが重なった後に重ならなくなった場合に前記所定の処理を終了することを特徴とする画像処理装置。
【請求項３】
請求項２に記載の画像処理装置において、
前記画像処理手段は、前記画像と前記処理情報との重なり面積に応じて、前記所定の処理の内容を変化させることを特徴とする画像処理装置。
【請求項４】
請求項２または３に記載の画像処理装置において、
前記画像処理手段は、前記画像の表示位置が移動されて前記処理情報に重なった第１の場合と、前記処理情報の表示位置が移動されて前記画像に重なった第２の場合とで、前記画像に対して行う前記所定の処理の制御方法を異ならせることを特徴とする画像処理装置。
【請求項５】
請求項４に記載の画像処理装置において、
前記画像または前記処理情報の表示位置を移動する操作はドラッグであり、
前記画像処理手段は、前記第１の場合、前記画像がドラッグされて前記処理情報に重なると前記画像に対して前記所定の処理を開始し、前記画像のドラッグが継続されている間前記所定の処理を継続し、前記画像がドロップされると前記所定の処理を終了し、前記第２の場合、前記処理情報がドラッグされて前記画像に重なると前記画像に対して前記所定の処理を開始し、前記処理情報のドロップ後も前記所定の処理を継続し、前記処理情報が再度ドラッグされて前記画像とが重ならなくなると前記所定の処理を終了することを特徴とする画像処理装置。
【請求項６】
請求項１〜５のいずれか一項に記載の画像処理装置において、
前記画像は動画像であり、
前記画像処理手段は、前記動画像の再生中に前記動画像と前記処理情報とが重なったとき、その時点の前記動画像の再生位置から前記動画像に対して前記所定の処理を開始することを特徴とする画像処理装置。
【請求項７】
請求項６に記載の画像処理装置において、
前記画像処理手段は、前記動画像の再生中且つ前記所定の処理を実行中に前記動画像と前記処理情報とが重ならなくなったとき、その時点の前記動画像の再生位置で前記動画像に対する前記所定の処理を終了し、前記再生手段は、前記所定の処理の終了後も前記動画像の再生を継続することを特徴とする画像処理装置。
【請求項８】
請求項１に記載の画像処理装置において、
前記画像処理手段は、前記画像と前記処理情報との間の距離が所定距離より短くなった場合に前記画像に対して前記所定の処理を開始し、前記画像と前記処理情報との間の距離が所定距離より長くなった場合に前記所定の処理を終了することを特徴とする画像処理装置。
【請求項９】
請求項８に記載の画像処理装置において、
前記画像処理手段は、前記画像と前記処理情報との間の距離に応じて、前記所定の処理の内容を変化させることを特徴とする画像処理装置。
【請求項１０】
請求項１〜９のいずれか一項に記載の画像処理装置において、
前記表示制御手段は、前記所定の処理に関する情報を、前記表示手段において前記画像の表示位置が移動されたことにより空いた領域に表示させることを特徴とする画像処理装置。
【請求項１１】
請求項１〜１０のいずれか一項に記載の画像処理装置において、
前記画像は、前記画像処理装置へストリーミング配信されている画像であり、
前記操作検出手段は、前記画像のストリーミング配信元の装置から送信された操作情報に基づいて前記操作を検出することを特徴とする画像処理装置。
【請求項１２】
画像を再生して表示手段に表示する再生処理と、
所定の処理に対応する処理情報を前記表示手段に表示する表示制御処理と、
前記画像または前記処理情報の表示位置を移動する操作を検出する操作検出処理と、
前記操作検出処理により検出された操作に応じて、前記画像に対して前記所定の処理を行う画像処理と、
をコンピュータに実行させ、
前記画像処理は、前記画像と前記処理情報との間の距離を近づけるように前記画像または前記処理情報の表示位置を移動する操作に応じて、前記画像に対して前記所定の処理を開始し、前記画像と前記処理情報とを遠ざけるように前記画像または前記処理情報の表示位置を移動する操作に応じて、前記所定の処理を終了することを特徴とする画像処理プログラム。
【発明の詳細な説明】
【技術分野】
【０００１】
本発明は、画像処理装置および画像処理プログラムに関する。
【背景技術】
【０００２】
ストリーミング配信されている動画像の表示エリアで行われたドラッグアンドドロップ操作に応じて、当該動画像を録画する動画像保存装置が知られている（特許文献１参照）。
【先行技術文献】
【特許文献】
【０００３】
【特許文献１】特開２００６−３４５４３２号公報
【発明の概要】
【発明が解決しようとする課題】
【０００４】
上述した技術では、ストリーミング配信されている動画像を録画するための操作を簡単に行うことはできるが、動画像に対するその他の処理のための操作については考慮されておらず、使い勝手が十分とはいえなかった。
【課題を解決するための手段】
【０００５】
（１）請求項１に記載の画像処理装置は、画像を再生して表示手段に表示する再生手段と、所定の処理に対応する処理情報を表示手段に表示する表示制御手段と、画像または処理情報の表示位置を移動する操作を検出する操作検出手段と、操作検出手段により検出された操作に応じて、画像に対して所定の処理を行う画像処理手段と、を備え、画像処理手段は、画像と処理情報との間の距離を近づけるように画像または処理情報の表示位置を移動する操作に応じて、画像に対して所定の処理を開始し、画像と処理情報とを遠ざけるように画像または処理情報の表示位置を移動する操作に応じて、所定の処理を終了することを特徴とする。
（２）請求項１２に記載の画像処理プログラムは、画像を再生して表示手段に表示する再生処理と、所定の処理に対応する処理情報を表示手段に表示する表示制御処理と、画像または処理情報の表示位置を移動する操作を検出する操作検出処理と、操作検出処理により検出された操作に応じて、画像に対して所定の処理を行う画像処理と、をコンピュータに実行させ、画像処理は、画像と処理情報との間の距離を近づけるように画像または処理情報の表示位置を移動する操作に応じて、画像に対して所定の処理を開始し、画像と処理情報とを遠ざけるように画像または処理情報の表示位置を移動する操作に応じて、所定の処理を終了することを特徴とする。
【発明の効果】
【０００６】
本発明によれば、画像に対する処理のための操作が簡単に行える装置を提供できる。
【図面の簡単な説明】
【０００７】
【図１】画像表示装置の要部構成を例示するブロック図である。
【図２】動画像の表示画面を例示する図である。
【図３】処理アイコンの表示例を説明する図である。
【図４】動画像の表示エリアの移動例を説明する図である。
【図５】処理アイコンの移動例を説明する図である。
【図６】処理アイコンの移動例を説明する図である。
【図７】動画像の録画操作を説明する図である。
【図８】動画像の録画操作を説明する図である。
【図９】動画像の録画後の表示画面を例示する図である。
【図１０】複数の動画像の表示例を説明する図である。
【図１１】複数の動画像を表示したときの処理アイコンの表示例を説明する図である。
【図１２】複数の動画像を表示したときの動画像の表示エリアの移動例を説明する図である。
【図１３】複数の動画像を表示したときの動画像の表示エリアの移動例を説明する図である。
【図１４】動画像の表示エリアが複数の処理アイコンに重なった場合を例示する図である。
【図１５】制御部が実行する処理の流れを説明するフローチャートである。
【図１６】第２の実施の形態における画像表示装置と端末装置を説明する図である。
【図１７】端末装置の要部構成を例示するブロック図である。
【図１８】第２の実施の形態における動画像の録画操作を説明する図である。
【図１９】第２の実施の形態における動画像の録画後の表示画面を例示する図である。
【図２０】第４の実施の形態における表示画面を例示する図である。
【図２１】第４の実施の形態における動画像の録画操作を説明する図である。
【図２２】第４の実施の形態における動画像の録画および早送り操作を説明する図である。
【図２３】第４の実施の形態における動画像の録画後の表示画面を例示する図である。
【図２４】画像表示装置へのプログラム供給を説明する図である。
【発明を実施するための形態】
【０００８】
−第１の実施の形態−
図面を参照して本発明の第１の実施の形態について説明する。図１は、本発明の第１の実施形態による画像表示装置１０の要部構成を例示するブロック図である。画像表示装置１０は、表示部２０と、タッチパネル２１と、制御部３０と、通信部４０と、記録媒体５０と、を有する。
【０００９】
表示部２０は、制御部３０からの制御信号に基づいて、画像やアイコンなどを表示する。タッチパネル２１は、表示部２０の表示面に積層されており、ユーザの指などが接触した接触位置を検出し、位置検出信号を制御部３０に出力する。
【００１０】
制御部３０は、ＣＰＵ、メモリ、およびその周辺回路から構成され、メモリに格納された制御プログラムを実行することにより、画像表示装置１０の各種の制御を行う。また、制御部３０は、再生部３１と、表示制御部３２と、通信制御部３３と、操作検出部３４と、記録制御部３５と、を機能的に有する。これらの各機能部は、上記の制御プログラムによりソフトウェア的に実装される。なお、これらの各機能部を電子回路により構成することも可能である。
【００１１】
再生部３１は、記録媒体５０に記録されている画像や、通信部４０を介して外部機器（たとえばスマートフォンやコンテンツサーバなど）から送信された画像を再生する。表示制御部３２は、表示部２０に画像やアイコンなどを表示させる。通信制御部３３は、通信部４０による外部機器との通信を制御する。
【００１２】
操作検出部３４は、タッチパネル２１からの位置検出信号に基づいて、タッチパネル２１に対してどのようなユーザ操作が行われたか（たとえば、タップ操作、ドラッグ操作、ドロップ操作、フリック操作など）を検出する。なお、タップ操作とは、たとえば、指をタッチパネル２１にタッチさせてすぐ離す操作である。ドラッグ操作とは、たとえば、タッチパネル２１上でドラッグ対象を指でタッチしたまま指を移動させる操作である。ドロップ操作とは、ドラッグ操作後に指を離す操作である。フリック操作とは、指をタッチパネル２１にタッチさせて弾く操作である。
【００１３】
記録制御部３５は、ユーザからの録画指示に応じて、再生部３１でストリーミング再生された動画像を、動画像ファイルとして記録媒体５０に記録する。なお、ストリーミング再生される動画像は、ユーザから録画指示が行われなかった場合は、画像表示装置１０に保存されないようになっている。
【００１４】
通信部４０は、通信制御部３３からの指示に応じて外部機器と無線通信を行う。通信部４０は、例えば、無線ＬＡＮ(Local Area Network)のアクセスポイントを経由する通信や、携帯電話回線網を経由する通信などが可能に構成されている。記録媒体５０は、たとえば、ハードディスクやフラッシュメモリであり、再生部３１で再生する画像データなどが記録されている。
【００１５】
＜動画像の再生時のユーザインターフェイス＞
本実施形態の画像表示装置１０は、動画像の再生時におけるユーザインターフェイスに特徴を有するので、以降の説明はこの点を中心に行う。再生部３１は、ユーザにより動画像の再生が指示されると、たとえば、記録媒体５０に記録されている動画像を読み出して再生する。表示制御部３２は、再生部３１により再生されている動画像を、図２に示すように表示部２０の表示画面全体に表示する。
【００１６】
ユーザが動画像の表示エリアＭｖ内の位置をダブルタップすると、表示制御部３２は、図３に示すように、動画像の表示エリアＭｖを縮小して表示画面の中央に配置する。動画像の表示エリアＭｖが縮小されても、動画像の再生は継続される。また、表示制御部３２は、表示画面の上部に、左から順に、「巻き戻し」アイコンａ１、「再生」アイコンａ２、「早送り」アイコンａ３を表示する。さらに、表示制御部３２は、表示画面の下部に、左から順に、「一時停止」アイコンａ４、「停止」アイコンａ５、「録画」アイコンａ６を表示する。「巻き戻し」アイコンａ１は、動画像の巻き戻し再生に対応するアイコンである。「再生」アイコンａ２は、動画像の通常再生（１倍速の再生）に対応するアイコンである。「早送り」アイコンａ３は、動画像の早送りに対応するアイコンである。「一時停止」アイコンａ４は、動画像の再生の一時停止に対応するアイコンである。「停止」アイコンａ５は、動画像の再生の停止（終了）に対応するアイコンである。「録画」アイコンａ６は、動画像の録画（保存）に対応するアイコンである。なお、これらのアイコンａ１〜ａ６をまとめて、処理アイコンとも表記する。
【００１７】
（動画像の早送り）
図３に示す表示画面において、ユーザは、再生中の動画像の表示エリアＭｖをドラッグ可能となっている。図４に示すように、ユーザが動画像の表示エリアＭｖをドラッグして「早送り」アイコンａ３に重ねると、再生部３１は、動画像の早送り再生を開始する。動画像の表示エリアＭｖがドラッグされて「早送り」アイコンａ３に重ねられている間、再生部３１は、動画像の早送り再生を継続して行う。このとき、表示制御部３２は、表示画面において動画像の表示エリアＭｖが移動されたことにより空いた領域（すなわち表示画面の中央）に、動画像の再生位置を示す情報（たとえば、全再生時間に対する割合などの情報）を表示するようにしてもよい。
【００１８】
その後、ユーザが動画像の表示エリアＭｖをドロップすると、表示制御部３２は、動画像の表示エリアＭｖを、元の位置、すなわち表示画面の中央位置に自動的に移動させる（図３）。このとき、動画像の表示エリアＭｖと「早送り」アイコンａ３とが重ならなくなるので、再生部３１は、動画像の早送り再生を終了し、通常再生に戻す。
【００１９】
このように、動画像の表示エリアＭｖは、ユーザによりドラッグが継続されている間はドラッグに応じて移動し、ドロップされると、元の位置である表示画面の中央位置に自動的に戻るようになっている。
【００２０】
また、図５に示すように、ユーザが「早送り」アイコンａ３をドラッグして動画像の表示エリアＭｖに重ねた場合にも、再生部３１は、動画像の早送り再生を開始する。なお、「早送り」アイコンａ３が動画像の表示エリアＭｖに重ねられたときには、たとえば「早送り」アイコンａ３を半透明にして動画像の表示エリアＭｖが見えるようにする。また、「早送り」アイコンａ３は、動画像の表示エリアＭｖと異なり、ドラッグされた後ドロップされると、ドロップされた位置に留まる。したがって、ユーザが「早送り」アイコンａ３をドラッグして動画像の表示エリアＭｖに重ねたあとドロップすると、「早送り」アイコンａ３は動画像の表示エリアＭｖに重なったままとなる。再生部３１は、「早送り」アイコンａ３が動画像の表示エリアＭｖに重ねられている間、動画像の早送り再生を継続して行う。
【００２１】
そして、図６に示すように、ユーザが「早送り」アイコンａ３を再度ドラッグして動画像の表示エリアＭｖに重ならない位置まで移動させると、再生部３１は、動画像の早送り再生を終了し、通常再生に戻す。
【００２２】
このように、ユーザは、動画像を短時間早送りしたい場合には、動画像の表示エリアＭｖをドラッグして「早送り」アイコンａ３に重ねることで、ドラッグしている間だけ動画像の早送りが行われるので、早送りの開始・終了を簡単に切り替えることができる。一方、動画像を長時間早送りしたい場合には、「早送り」アイコンａ３をドラッグアンドドロップして動画像の表示エリアＭｖに重ねることで、ドラッグし続けなくても動画像の早送りを継続することができる。したがって、ユーザは適宜操作を使い分けることができ、ユーザの利便性が向上する。
【００２３】
（動画像の巻き戻し）
動画像を巻き戻ししたい場合も、動画像を早送りする場合と同様である。すなわち、動画像の表示エリアＭｖをドラッグして「巻き戻し」アイコンａ１に重ねると、ドラッグしている間だけ動画像の巻き戻し再生が行われる。一方、「巻き戻し」アイコンａ１をドラッグして動画像の表示エリアＭｖでドロップすると、「巻き戻し」アイコンａ１が動画像の表示エリアＭｖとは重ならない位置にドラッグされるまで、動画像の巻き戻し再生が継続して行われる。
【００２４】
（動画像の巻き戻し・早送りの速度制御）
再生部３１は、動画像の表示エリアＭｖと「巻き戻し」アイコンａ１または「早送り」アイコンａ３との重なり面積に応じて、動画像の巻き戻しまたは早送りの速度を変えるようにしてもよい。たとえば、再生部３１は、動画像の表示エリアＭｖと「巻き戻し」アイコンａ１または「早送り」アイコンａ３との重なり面積が広いほど、動画像の巻き戻しまたは早送りの速度を速くし、重なり面積が狭いほど、動画像の巻き戻しまたは早送りの速度を遅くする。このようにすることで、ユーザは、動画像の表示エリアＭｖと「巻き戻し」アイコンａ１または「早送り」アイコンａ３との重なり面積を変えるだけで、動画像の巻き戻しまたは早送りの速度を自由に変更することができる。
【００２５】
また、再生部３１は、動画像の表示エリアＭｖと「巻き戻し」アイコンａ１または「早送り」アイコンａ３とが重ねられている時間に応じて、動画像の巻き戻しまたは早送りの速度を変えるようにしてもよい。たとえば、再生部３１は、動画像の表示エリアＭｖと「巻き戻し」アイコンａ１または「早送り」アイコンａ３とが重ねられた時点では、最も遅い速度で巻き戻しまたは早送りを開始し、これらが重ねられている時間が長くなるほど、巻き戻しまたは早送りの速度を速くする。
【００２６】
なお、動画像の巻き戻しまたは早送りの速度に応じて、「巻き戻し」アイコンａ１または「早送り」アイコンａ３の表示を変更するようにしてもよい（たとえば、色を変更するなど）。これにより、ユーザは、動画像の巻き戻しまたは早送りの速度が変更されていることを認識することができる。
【００２７】
（動画像の録画）
また、再生部３１は、通信部４０を介して外部機器から動画像のデータを所定のデータサイズに分けて受信しながら再生を行う、いわゆるストリーミング再生を行ってもよい。この場合も、上述と同様に、表示制御部３２は、再生部３１によりストリーミング再生された動画像を表示画面全体に表示させる。そして、ユーザにより動画像の表示エリアＭｖ内の位置がダブルタップされると、表示制御部３２は、動画像の表示エリアＭｖを縮小すると共に、処理アイコンａ１〜ａ６を表示させる。
【００２８】
そして、図７に示すように、ユーザが動画像の表示エリアＭｖをドラッグアンドドロップして「録画」アイコンａ６に重ねると、記録制御部３５は、再生部３１によりストリーミング再生されている動画像の録画を開始する。すなわち、記録制御部３５は、動画像の表示エリアＭｖが「録画」アイコンａ６に重ねられた時点の再生位置から、上記動画像の録画を開始する。動画像の表示エリアＭｖが「録画」アイコンａ６に重ねられている間、記録制御部３５は、動画像の録画を継続して行う。なお、動画像の表示エリアＭｖでは、動画像の通常再生が継続して行われる。
【００２９】
また、このとき、表示制御部３２は、表示画面の中央、すなわち動画像の表示エリアＭｖが移動したことにより空いた領域に、「録画中」の文字と動画像の録画開始時のフレーム画像Ｆ１とを表示させる。表示制御部３２は、動画像の録画開始時から、たとえば１分おきのフレーム画像を表示画面中央に表示させていく。図８は、録画開始時から２分経過後の表示画面の一例を示す図である。図８に示すように、表示画面中央には、左から順に、動画像の録画開始時のフレーム画像Ｆ１、録画開始から１分経過後のフレーム画像Ｆ２、録画開始から２分経過後のフレーム画像Ｆ３が表示されている。このように録画されている動画像のフレーム画像Ｆ１〜Ｆ３を表示させることで、ユーザはどのような動画が録画されているのかを認識することができる。
【００３０】
その後、ユーザが動画像の表示エリアＭｖをドラッグして、表示画面中央のエリアに移動させると、動画像の表示エリアＭｖと「録画」アイコンａ６とが重ならなくなるので、記録制御部３５は、この時点の再生位置で動画像の録画を終了する。なお、動画像の表示エリアＭｖでは、動画像の通常再生が継続して行われる。記録制御部３５は、録画開始から録画終了までの動画像を、動画像ファイルとして記録媒体５０に記録する。また、表示制御部３２は、図９に示すように、表示画面の右部に、録画した動画像の表示エリアＲｅを設け、録画した動画像を再生して表示する。
【００３１】
以上のように、ユーザは、ストリーミング再生されている動画像の表示エリアＭｖをドラッグして「録画」アイコンａ６に重ねるという簡単な操作で、当該動画像を部分的に切り出して保存することができる。また、動画像の表示エリアＭｖを「録画」アイコンａ６に重ねている間だけ動画像を記録するため、ユーザは、動画像の切り出し開始位置と終了位置とを直感的に指示することができる。さらに、表示制御部３２は、動画像の表示エリアＭｖが移動前に表示されていたエリア（画面中央のエリア）に、録画状況を示すフレーム画像を表示するので、ユーザは、録画操作をしながら録画状況を把握することができる。
【００３２】
（動画像の再生・停止・一時停止）
ユーザが動画像を再生開始・停止・一時停止を行いたい場合は、上述と同様の操作を行えばよい。すなわち、ユーザの操作により動画像の表示エリアＭｖと「再生」アイコンａ２、「一時停止」アイコンａ４、または「停止」アイコンａ５とが重ねられると、再生部３１は、動画像に対して、動画像の表示エリアＭｖと重ねられた処理アイコンに対応する処理（再生、一時停止、または停止）を行う。
【００３３】
（複数の動画像を表示する場合）
画像表示装置１０では、同時に複数の動画像を再生して表示部２０に表示することも可能である。複数の動画像を同時に表示することで、たとえば動画の編集時や動画の検索時などに利便性が向上する。ここで、複数の動画像を再生して表示するとは、記録媒体５０に記録された複数の動画像ファイルをそれぞれ再生して表示するようにしてもよいし、シーンの区切りを表すチャプターが設定された動画（たとえばＢＤやＤＶＤに記憶された動画など）において、複数のチャプターの動画像をそれぞれ再生して表示するようにしてもよい。
【００３４】
図１０は、たとえば、２つの動画像（ここでは第１の動画像、第２の動画像と表記する）を再生して表示部２０に表示する例を示す図である。ユーザが第１の動画像の表示エリアＭｖ１または第２の動画像の表示エリアＭｖ２内の位置をダブルタップすると、表示制御部３２は、図１１に示すように、第１の動画像の表示エリアＭｖ１および第２の動画像の表示エリアＭｖ２をそれぞれ縮小して表示画面の中央に配置する。また、表示制御部３２は、表示画面の上部および下部に、上述と同様の処理アイコンａ１〜ａ６を表示する。
【００３５】
図１２に示すように、ユーザが第１の動画像の表示エリアＭｖ１をドラッグして「早送り」アイコンａ３に重ねると、再生部３１は、第１の動画像の早送り再生を開始する。第１の動画像の表示エリアＭｖが「早送り」アイコンａ３に重ねられている間、再生部３１は、第１の動画像の早送り再生を継続して行う。
【００３６】
その後、ユーザが第１の動画像の表示エリアＭｖ１をドロップすると、表示制御部３２は、第１の動画像の表示エリアＭｖ１を、元の位置、すなわち表示画面の中央左位置に自動的に移動させる（図１１）。このとき、第１の動画像の表示エリアＭｖ１と「早送り」アイコンａ３とが重ならなくなるので、再生部３１は、第１の動画像の早送り再生を終了し、通常再生に戻す。
【００３７】
一方、図１３に示すように、ユーザが第２の動画像の表示エリアＭｖ２をドラッグして「早送り」アイコンａ３に重ねると、再生部３１は、第２の動画像の早送り再生を開始する。第２の動画像の表示エリアＭｖ２が「早送り」アイコンａ３に重ねられている間、再生部３１は、第２の動画像の早送り再生を継続して行う。
【００３８】
その後、ユーザが第２の動画像の表示エリアＭｖ２をドロップすると、表示制御部３２は、第２の動画像の表示エリアＭｖ２を、元の位置、すなわち表示画面の中央右位置に自動的に移動させる。このとき、第２の動画像の表示エリアＭｖ２と「早送り」アイコンａ３とが重ならなくなるので、再生部３１は、第２の動画像の早送り再生を終了し、通常再生に戻す。
【００３９】
また、ユーザが「早送り」アイコンａ３をドラッグアンドドロップして第１の動画像の表示エリアＭｖ１に重ねた場合には、再生部３１は、第１の動画像の早送り再生を開始する。ユーザが「早送り」アイコンａ３を再度ドラッグして第１の動画像の表示エリアＭｖ１に重ならない位置まで移動させると、再生部３１は、動画像の早送り再生を終了し、通常再生に戻す。
【００４０】
一方、ユーザが「早送り」アイコンａ３をドラッグアンドドロップして第２の動画像の表示エリアＭｖ２に重ねた場合には、再生部３１は、第２の動画像の早送り再生を開始する。ユーザが「早送り」アイコンａ３を再度ドラッグして第２の動画像の表示エリアＭｖ２に重ならない位置まで移動させると、再生部３１は、動画像の早送り再生を終了し、通常再生に戻す。
【００４１】
上述では「早送り」アイコンａ３を例にして説明したが、この他の処理アイコン（ａ１〜ａ６）についても同様である。このように、ユーザが動画像の表示エリアＭｖ１，Ｍｖ２または処理アイコンをドラッグするだけで、複数の動画像に対してそれぞれ個別の処理を指示することができる。たとえば、第１の動画像を早送り再生している間、第２の動画像を巻き戻し再生することなどができる。また、ユーザは、操作対象とする動画像の指定と動画像に対して行う処理内容の指定をドラッグにより直感的に行うことができるため、ユーザの利便性が向上する。
【００４２】
（処理アイコンの非表示）
上述した処理アイコンａ１〜ａ６が表示部２０に表示されている状態で、ユーザが動画像の表示エリアＭｖ内の位置をダブルタップすると、表示制御部３２は、処理アイコンａ１〜ａ６を非表示にして、動画像の表示エリアＭｖを拡大し、表示画面全体に動画像を表示させる（図２）。
【００４３】
（動画像の表示エリアが複数の処理アイコンに重ねられた場合）
本実施の形態では、たとえば、図１４に示すように、動画像の表示エリアＭｖが複数の処理アイコン（図１４では、「再生」アイコンａ２と「早送り」アイコンａ３）と重なってしまうことも考えられる。この場合には、制御部３０は、動画像の表示エリアＭｖとの重なり面積が大きい方の処理アイコン（図１４では、「早送り」アイコンａ３）に対応する処理を動画像に対して行うようにすればよい。
【００４４】
＜フローチャートの説明＞
次に、上述した動画像の再生時に制御部３０が実行する処理の流れについて図１５に例示するフローチャートを参照して説明する。制御部３０は、ユーザから動画像の再生が指示されると、図１５による処理を開始させる。
【００４５】
図１５のステップＳ１１において、制御部３０は、動画像を再生して表示部２０の表示画面全体に表示させて、ステップＳ１２へ進む。
【００４６】
ステップＳ１２において、制御部３０は、動画像の表示エリアＭｖ内の位置がダブルタップされたか否かを判定する。ダブルタップされない場合は、制御部３０は、ステップＳ１２を否定判定してステップＳ１２を繰り返す。ダブルタップされると、制御部３０は、ステップＳ１３へ進む。
【００４７】
ステップＳ１３において、制御部３０は、上述したように、動画像の表示エリアＭｖを縮小すると共に、処理アイコンａ１〜ａ６を表示部２０に表示して、ステップＳ１４へ進む。
【００４８】
ステップＳ１４において、制御部３０は、ユーザの操作により、動画像の表示エリアＭｖと処理アイコン（ａ１〜ａ６）とが重ねられたか否かを判定する。重ねられていない場合は、制御部３０はステップＳ１４を否定判定してステップＳ１８へ進む。重ねられた場合は、制御部３０はステップＳ１４を肯定判定してステップＳ１５へ進む。
【００４９】
ステップＳ１５において、制御部３０は、動画像に対して、動画像の表示エリアＭｖと重ねられた処理アイコンに対応する処理を開始して、ステップＳ１６へ進む。
【００５０】
ステップＳ１６において、制御部３０は、ユーザの操作により、動画像の表示エリアＭｖと処理アイコンとが重ならなくなったか否かを判定する。動画像の表示エリアＭｖと処理アイコンとが重なったままの場合は、制御部３０は、ステップＳ１６を否定判定してステップＳ１６を繰り返す。この間、制御部３０は、動画像に対して、上記処理アイコンに対応する処理を継続する。一方、動画像の表示エリアＭｖと処理アイコンとが重ならなくなった場合は、制御部３０は、ステップＳ１６を肯定判定してステップＳ１７へ進む。
【００５１】
ステップＳ１７において、制御部３０は、上記処理アイコンに対応する処理を終了して、ステップＳ１８へ進む。
【００５２】
ステップＳ１８において、制御部３０は、動画像の表示エリアＭｖ内の位置がダブルタップされたか否かを判定する。ダブルタップされない場合は、制御部３０は、ステップＳ１８を否定判定してステップＳ１４に戻る。ダブルタップされると、制御部３０は、ステップＳ１９へ進む。
【００５３】
ステップＳ１９において、制御部３０は、処理アイコン（ａ１〜ａ６）を非表示にすると共に、動画像の表示エリアＭｖを拡大して、動画像を表示画面全体に表示させ、ステップＳ１２へ戻る。
【００５４】
＜変形例＞
本実施の形態では、動画像の表示エリアＭｖがドラッグされて処理アイコン（ａ１〜ａ６）に重ねられると、動画像に対して当該処理アイコンに対応する処理を行う例について説明した。しかしながら、必ずしも動画像の表示エリアＭｖと処理アイコンとが重ならなくてもよく、制御部３０は、動画像の表示エリアＭｖと処理アイコンとの間の距離が所定距離より短くなった場合に動画像に対して当該処理アイコンに対応する処理を開始するようにしてもよい。そして、制御部３０は、動画像の表示エリアＭｖと処理アイコンとの間の距離が所定距離より長くなった場合に上記処理を終了するようにしてもよい。なお、動画像の表示エリアＭｖと処理アイコンとの間の距離とは、たとえば、動画像の表示エリアＭｖの中心位置と処理アイコンの中心位置との間の距離とすればよい。
【００５５】
この場合、制御部３０は、動画像の表示エリアＭｖと処理アイコンとの間の距離に応じて、動画像に対して行う処理の内容を変化させるようにしてもよい。たとえば、再生部３１は、動画像の表示エリアＭｖと「巻き戻し」アイコンａ１との間の距離が所定距離より短くなると、動画像に対する巻き戻し再生を開始する。ここで、再生部３１は、動画像の表示エリアＭｖと「巻き戻し」アイコンａ１との間の距離が短くなるほど、巻き戻し再生の速度を速くし、動画像の表示エリアＭｖと「巻き戻し」アイコンａ１との間の距離が長くなるほど、巻き戻し再生の速度を遅くする。そして、再生部３１は、動画像の表示エリアＭｖと「巻き戻し」アイコンａ１との間の距離が所定距離よりも長くなると、動画像に対する巻き戻し再生を終了する。このようにすることで、ユーザは、動画像の表示エリアＭｖまたは「巻き戻し」アイコンａ１の表示位置を移動させて、これらの間の距離を変えることで、巻き戻し再生の速度を自由に変更することができる。
【００５６】
また、この場合、ユーザが動画像の表示エリアＭｖをドラッグして所望の処理アイコンに近づける際、動画像の表示エリアＭｖの移動中に目標とする処理アイコンとは別の処理アイコンに近づいてしまうことがあると考えられる。このときに、動画像の表示エリアＭｖとこの別の処理アイコンとの間の距離が所定距離よりも短くなることで、別の処理アイコンに対応する処理が行われてしまうと、ユーザが意図しない処理が行われてしまうこととなり、不便である。そこで、制御部３０は、動画像の表示エリアＭｖと処理アイコンとの間の距離が所定距離より短くなり、且つこの状態で所定時間以上経過した場合に、当該処理アイコンに対応する処理を動画像に対して行うようにする。こうすることで、ユーザが意図しない処理が行われてしまうことを防止することができる。
【００５７】
また、制御部３０は、特定のタイミングで処理アイコンの表示態様を変化させるようにしてもよい。ここで、処理アイコンの表示態様を変化させるとは、たとえば、処理アイコンそのものの色を変化させたり、処理アイコンの周辺を特定の色で塗りつぶしたりすることなどである。
【００５８】
以下、処理アイコンの表示態様を変化させるタイミングの例を説明する。第１の例では、各処理アイコンの周囲に各処理アイコンを囲むように設定された所定領域を設定しておく。この所定領域は、処理アイコンよりもやや広い領域として設定される。制御部３０は、ユーザ操作により任意の処理アイコンと動画像の表示エリアＭｖとが近づけられ、その処理アイコンを囲む上記所定領域と動画像の表示エリアＭｖが重なったときに、その処理アイコンの表示態様を変化させる。
【００５９】
第２の例では、制御部３０は、ユーザ操作により任意の処理アイコンの中心位置と動画像の表示エリアＭｖとが重ねられたとき、または任意の処理アイコンと動画像の表示エリアＭｖとの重なり面積が所定値よりも大きくなったとき、その処理アイコンの表示態様を変化させる。
【００６０】
第３の例では、制御部３０は、ユーザ操作により任意の処理アイコンと動画像の表示エリアＭｖとが重ねられた後、その処理アイコンと動画像の表示エリアＭｖとが遠ざかる操作が検出されたとき、その処理アイコンの表示態様を変化させる。
【００６１】
第４の例では、制御部３０は、ユーザ操作により任意の処理アイコンと動画像の表示エリアＭｖとが重ねられ、これらの動きが所定時間以上停止した後、その処理アイコンまたは動画像の表示エリアＭｖの表示位置を移動する操作が検出されたとき、その処理アイコンの表示態様を変化させる。
【００６２】
第５の例では、制御部３０は、現在の処理対象の（すなわち動画像の表示エリアＭｖと重なっている）処理アイコンの表示態様を変化させる。
【００６３】
以上のように処理アイコンの表示態様を変化させることで、ユーザが操作を行っているときに、どれほど移動すれば処理アイコンと動画像の表示エリアＭｖと重なるかまたは重ならなくなるかをユーザにとってわかりやすくすることができる。
【００６４】
上述した実施の形態によれば、次の作用効果が得られる。
（１）画像表示装置１０は、動画像を再生して表示部２０に表示する再生部３１と、所定の処理に対応する処理アイコン（ａ１〜ａ６）を表示部２０に表示する表示制御部３２と、動画像の表示エリアＭｖまたは処理アイコンを移動する操作を検出する操作検出部３４と、を備える。制御部３０は、動画像の表示エリアＭｖと処理アイコンとを重ねる操作（動画像の表示エリアＭｖと処理アイコンとを近づける操作）に応じて、動画像に対して当該処理アイコンに対応する処理を開始する。そして、制御部３０は、動画像の表示エリアＭｖと処理アイコンとが重ならないようにする操作（動画像の表示エリアＭｖと処理アイコンとを遠ざける操作）に応じて上記処理を終了する。これにより、動画像の表示エリアＭｖまたは処理アイコンの表示位置を移動するという簡単な操作で、動画像に対する処理の開始と終了を指示することができる。したがって、動画像に対する処理のための操作が簡単に行えるユーザインターフェイスを提供できる。
【００６５】
（２）画像表示装置１０において、制御部３０は、動画像の表示エリアＭｖが移動されて処理アイコンに重ねられた場合と、処理アイコンが移動されて動画像の表示エリアＭｖに重ねられた場合とで、動画像に対して行う処理の制御方法を異ならせるようにした。具体的には、制御部３０は、動画像の表示エリアＭｖがドラッグされて処理アイコンに重ねられた場合は、動画像の表示エリアＭｖのドラッグが継続されている間、処理アイコンに対応する処理を継続し、動画像の表示エリアＭｖがドロップされると上記処理を終了する。一方、制御部３０は、処理アイコンがドラッグされて動画像の表示エリアＭｖに重ねられた場合は、処理アイコンのドロップ後も処理アイコンに対応する処理を継続し、処理アイコンが再度ドラッグされて動画像の表示エリアＭｖとの重ならなくなると上記処理を終了する。このようにすることで、ユーザは、動画像に対して短時間処理を行いたい場合と長時間処理を行いたい場合とで、適宜操作を使い分けることができる。
【００６６】
（３）画像表示装置１０において、ストリーミング再生されている動画像の表示エリアＭｖが移動されて「録画」アイコンａ６に重ねられた場合に、記録制御部３５は当該動画像の録画を開始する。このとき、表示制御部３２は当該録画に関する情報（本実施形態では録画中のフレーム画像）を、表示画面において動画像の表示エリアＭｖが移動されたことにより空いた領域（本実施形態では表示画面の中央）に表示させる。これにより、限られた表示画面を効率よく利用して、ユーザに録画の状況を報知することができる。
【００６７】
なお、以上説明した第１の実施の形態において、画像表示装置１０におけるユーザ操作は、指による操作（タップ、ドラッグ等）を説明したが、これに限定されない。画像表示装置１０は、マウスやスタイラスペン等のポインティングデバイスを用いてユーザ操作を行えるようにしてもよい。
【００６８】
−第２の実施の形態−
次に、図面を参照して本発明の第２の実施の形態について説明する。第１の実施の形態では、ユーザが画像表示装置１０のタッチパネル２１を用いて操作入力を行っていた。これに対して、第２の実施の形態では、図１６に示すように、ユーザが携帯型の端末装置１００を操作して、画像表示装置１０に対して操作入力を行うようになっている。端末装置１００は、たとえば、携帯電話やスマートフォン、タブレットコンピュータなどである。第２の実施の形態では、端末装置１００からストリーミング配信された動画像を、画像表示装置１０でストリーミング再生して表示部２０に表示するようになっている。すなわち、端末装置１００が動画像のストリーミング配信元の装置となっている。
【００６９】
＜端末装置の要部構成＞
図１７は、端末装置１００の要部構成を例示するブロック図である。端末装置１００は、表示部１２０と、タッチパネル１２１と、制御部１３０と、通信部１４０と、記録媒体１５０と、動き検出部１６０と、を有する。
【００７０】
表示部１２０は、制御部１３０からの制御信号に基づいて、画像やアイコンなどを表示する。タッチパネル１２１は、表示部１２０の表示面に積層されており、ユーザの指などが接触した接触位置を検出し、位置検出信号を制御部１３０に出力する。
【００７１】
制御部１３０は、ＣＰＵ、メモリ、およびその周辺回路から構成され、メモリに格納された制御プログラムを実行することにより、端末装置１００の各種の制御を行う。
【００７２】
通信部１４０は、制御部１３０からの指示に応じて外部機器（たとえば画像表示装置１０）と無線通信を行う。通信部１４０は、例えば、無線ＬＡＮ(Local Area Network)のアクセスポイントを経由する通信や、携帯電話回線網を経由する通信などが可能に構成されている。記録媒体１５０は、たとえば、フラッシュメモリであり、画像表示装置１０にストリーミング配信する動画像のデータなどが記録されている。
【００７３】
動き検出部１６０は、たとえば加速度センサなどから構成され、端末装置１００の振動や端末装置１００の傾きなどを検出し、動き検出信号を出力する。
【００７４】
＜端末装置による操作の説明＞
次に、端末装置１００を操作して、画像表示装置１０に表示された動画像に対する処理を行う場合について図１８および図１９を用いて説明する。なお、画像表示装置１０の表示部２０に表示される表示画面は、第１の実施の形態と同様であるため、詳細の説明は省略する。
【００７５】
端末装置１００は、ユーザにより動画像のストリーミング配信が指示されると、たとえば、記録媒体１５０に記録されている動画像を読み出して、通信部１４０を介して、画像表示装置１０にストリーミング配信する。なお、端末装置１００でも、画像表示装置１０にストリーミング配信する動画像が再生されて、表示部１２０に表示される。画像表示装置１０は、通信部４０を介して端末装置１００からストリーミング配信されてくる動画像を受信し、再生部３１によってストリーミング再生して、表示部２０に表示する。このとき表示制御部３２は、第１の実施の形態と同様に、再生部３１により再生されている動画像を、表示部２０の表示画面全体に表示する。
【００７６】
画像表示装置１０では、端末装置１００の動きに応じて処理を行う。端末装置１００は、動き検出部１６０で検出された端末装置１００の動きを示す動き検出情報を、通信部１４０を介して画像表示装置１０に送信する。画像表示装置１０の操作検出部３４は、通信部４０を介して受信した端末装置１００の動き検出情報に基づいて、端末装置１００に対するユーザの操作を検出する。
【００７７】
ユーザが端末装置１００を振動させると、画像表示装置１０の表示制御部３２は、第１の実施の形態と同様に、動画像の表示エリアＭｖを縮小して、表示画面の中央に配置すると共に、処理アイコンａ１〜ａ６を表示部２０に表示させる。
【００７８】
その後、画像表示装置１０では、端末装置１００の動きに応じて動画像の表示エリアＭｖを移動させる。図１８に示すように、ユーザが端末装置１００を右下に傾けると、画像表示装置１０の表示制御部３２は、動画像の表示エリアＭｖを右下に向かって移動させる。そして、動画像の表示エリアＭｖが「録画」アイコンａ６に重なると、記録制御部３５は、第１の実施の形態と同様に、再生部３１によりストリーミング再生されている動画像の録画を開始する。このとき、表示制御部３２は、第１の実施の形態と同様に、表示画面上において、動画像の表示エリアＭｖが移動したことにより空いた領域（表示画面中央）に、動画像の録画開始時のフレーム画像Ｆ１を表示する。なお、動画像の表示エリアＭｖでは、動画像の通常再生が継続して行われる。
【００７９】
その後、図１９に示すように、ユーザが端末装置１００の傾きを元に戻すと、画像表示装置１０の表示制御部３２は、動画像の表示エリアＭｖを、表示画面の中央の位置に移動させる。すると、動画像の表示エリアＭｖと「録画」アイコンａ６とが重ならなくなるので、記録制御部３５は、動画像の録画を終了する。なお、動画像の表示エリアＭｖでは、動画像の通常再生が継続して行われる。記録制御部３５は、録画開始から録画終了までの動画像を、動画像ファイルとして記録媒体５０に記録する。また、表示制御部３２は、表示画面の右部に、録画した動画像の表示エリアＲｅを設け、録画した動画像を再生して表示する。
【００８０】
上述では「録画」アイコンａ６を例に説明したが、この他の処理アイコン（ａ１〜ａ６）についても同様である。ユーザが端末装置１００を傾けると、画像表示装置１０の表示制御部３２は、端末装置１００の傾きに応じて動画像の表示エリアＭｖを移動させる。そして、画像表示装置１０は、動画像の表示エリアＭｖが重ねられた処理アイコンに対応する処理を、動画像に対して行う。
【００８１】
また、処理アイコンａ１〜ａ６が表示されている状態で、ユーザが端末装置１００を振動させると、画像表示装置１０の表示制御部３２は、処理アイコンａ１〜ａ６を非表示にして、動画像の表示エリアＭｖを拡大し、表示画面全体に動画像を表示させる（図２）。
【００８２】
なお、上述では端末装置１００の傾きに応じて動画像の表示エリアＭｖを移動させる例について説明したが、端末装置１００の傾きに応じて処理アイコン（ａ１〜ａ６）も移動できるようにしてもよい。この場合、ユーザは、端末装置１００において最初に移動させたい処理アイコンを選択してから、端末装置１００を傾けるようにすればよい。また、第１の実施の形態と同様に、動画像の表示エリアＭｖが移動されて処理アイコンに重ねられた場合と、処理アイコンが移動されて動画像の表示エリアＭｖに重ねられた場合とで、動画像に対して行う処理の制御方法を異ならせるようにしてもよい。
【００８３】
上述した実施の形態によれば、次の作用効果が得られる。
画像表示装置１０の操作検出部３４は、動画像のストリーミング配信元の端末装置１００から送信された動き検出情報に基づいて端末装置１００の動きを検出する。表示制御部３２は、検出された端末装置１００の動きに応じて動画像の表示エリアＭｖまたは処理アイコンを移動する。したがって、ユーザは、端末装置１００を動かすことで、動画像の表示エリアＭｖまたは処理アイコンの移動を直感的に指示することができる。
【００８４】
−第３の実施の形態−
次に、本発明の第３の実施の形態について説明する。第２の実施の形態では、端末装置１００の動きに応じて動画像の表示エリアＭｖまたは処理アイコンを移動する例について説明した。これに対して第３の実施の形態では、端末装置１００のタッチパネル２１に対するタッチ操作に応じて、動画像の表示エリアＭｖまたは処理アイコンを移動するようになっている。端末装置１００の構成は、第２の実施の形態と同様であるため、説明を省略する。
【００８５】
＜端末装置による操作の説明＞
第３の実施の形態において、端末装置１００を操作して、画像表示装置１０に表示された動画像に対する処理を行う場合について説明する。なお、画像表示装置１０の表示部２０に表示される表示画面は、第１の実施の形態と同様であるため、詳細の説明は省略し、第２の実施の形態で用いた図１８および図１９を参照して説明する。
【００８６】
端末装置１００は、ユーザにより動画像のストリーミング配信が指示されると、たとえば、記録媒体１５０に記録されている動画像を読み出して、通信部１４０を介して、画像表示装置１０にストリーミング配信する。画像表示装置１０は、通信部４０を介して端末装置１００からストリーミング配信されてくる動画像を受信し、再生部３１によってストリーミング再生して、表示部２０に表示する。このとき表示制御部３２は、第１の実施の形態と同様に、再生部３１により再生されている動画像を、表示部２０の表示画面全体に表示する。
【００８７】
画像表示装置１０では、端末装置１００のタッチパネル１２１に対するタッチ操作に応じて処理を行う。端末装置１００は、タッチパネル２１で検出された接触位置情報を、通信部１４０を介して画像表示装置１０に送信する。画像表示装置１０の操作検出部３４は、通信部４０を介して受信した端末装置１００のタッチパネル２１で検出された接触位置情報に基づいて、端末装置１００のタッチパネル２１に対するユーザのタッチ操作を検出する。
【００８８】
ユーザが端末装置１００のタッチパネル２１に対してタップを行うと、画像表示装置１０の表示制御部３２は、第２の実施の形態と同様に、動画像の表示エリアＭｖを縮小して、表示画面の中央に配置すると共に、処理アイコンａ１〜ａ６を表示部２０に表示させる。
【００８９】
その後、画像表示装置１０では、端末装置１００のタッチパネル２１に対するフリック操作に応じて動画像の表示エリアＭｖを移動させる。ユーザが端末装置１００のタッチパネル２１において右下に向かってフリック操作を行うと、画像表示装置１０の表示制御部３２は、動画像の表示エリアＭｖを右下に向かって移動させる。ユーザがこのフリック操作で、図１８と同様に、動画像の表示エリアＭｖを「録画」アイコンａ６に重ねると、記録制御部３５は、第２の実施の形態と同様に、再生部３１によりストリーミング再生されている動画像の録画を開始する。このとき、表示制御部３２は、第２の実施の形態と同様に、表示画面上において、動画像の表示エリアＭｖが移動したことにより空いた領域（表示画面中央）に、動画像の録画開始時のフレーム画像Ｆ１を表示する。なお、動画像の表示エリアＭｖでは、動画像の通常再生が継続して行われる。
【００９０】
その後、ユーザが端末装置１００のタッチパネル２１において左上に向かってフリック操作を行うと、画像表示装置１０の表示制御部３２は、「録画」アイコンａ６に重ねられていた動画像の表示エリアＭｖを左上に向かって移動させる。すると、図１９と同様に、動画像の表示エリアＭｖと「録画」アイコンａ６とが重ならなくなるので、記録制御部３５は、動画像の録画を終了する。なお、動画像の表示エリアＭｖでは、動画像の通常再生が継続して行われる。記録制御部３５は、録画開始から録画終了までの動画像を、動画像ファイルとして記録媒体５０に記録する。また、表示制御部３２は、表示画面の右部に、録画した動画像の表示エリアＲｅを設け、録画した動画像を再生して表示する。
【００９１】
上述では「録画」アイコンａ６を例に説明したが、この他の処理アイコン（ａ１〜ａ６）についても同様である。ユーザが端末装置１００のタッチパネル１２１に対してフリック操作を行うと、画像表示装置１０の表示制御部３２は、フリック操作が行われた方向に向かって動画像の表示エリアＭｖを移動させる。そして、画像表示装置１０は、動画像の表示エリアＭｖが重ねられた処理アイコンに対応する処理を、動画像に対して行う。
【００９２】
なお、処理アイコンａ１〜ａ６が表示されている状態で、ユーザが端末装置１００のタッチパネル２１に対してタップを行うと、画像表示装置１０の表示制御部３２は、処理アイコンａ１〜ａ６を非表示にして、動画像の表示エリアＭｖを拡大し、表示画面全体に動画像を表示させる（図２）。
【００９３】
なお、上述では端末装置１００に対するフリック操作に応じて動画像の表示エリアＭｖを移動させる例について説明したが、端末装置１００に対するフリック操作に応じて処理アイコン（ａ１〜ａ６）も移動できるようにしてもよい。この場合、ユーザは、端末装置１００において最初に移動させたい処理アイコンを選択してから、端末装置１００に対するフリック操作を行うようにすればよい。また、第１の実施の形態と同様に、動画像の表示エリアＭｖが移動されて処理アイコンに重ねられた場合と、処理アイコンが移動されて動画像の表示エリアＭｖに重ねられた場合とで、動画像に対して行う処理の制御方法を異ならせるようにしてもよい。
【００９４】
上述した第３の実施の形態によれば、次の作用効果が得られる。
画像表示装置１０の操作検出部３４は、動画像のストリーミング配信元の端末装置１００から送信されたタッチパネル１２１の接触位置情報に基づいて端末装置１００のタッチパネル１２１に対するタッチ操作を検出する。表示制御部３２は、端末装置１００のタッチパネル１２１に対するタッチ操作に応じて動画像の表示エリアＭｖまたは処理アイコンを移動する。したがって、ユーザは、端末装置１００へのタッチ操作によって、動画像の表示エリアＭｖまたは処理アイコンの移動を直感的に指示することができる。
【００９５】
なお、第３の実施の形態では、端末装置１００のタッチパネル１２１に対するタッチ操作によって動画像の表示エリアＭｖが移動する例について説明した。しかしながら、端末装置１００に上下左右に対応するボタンがある場合には、このボタンを操作して動画像の表示エリアＭｖを移動させるようにしてもよい。
【００９６】
−第４の実施の形態−
次に、本発明の第４の実施の形態について説明する。第４の実施の形態では、第２の実施の形態と同様に、端末装置１００の動きに応じて動画像の表示エリアＭｖを移動するようになっている。第４の実施の形態では、上述した第１〜第３の実施の形態とは画像表示装置１０に表示される表示画面において処理アイコンａ１〜ａ６が異なるため、この点を中心に図２０〜図２３を用いて説明する。
【００９７】
端末装置１００は、ユーザにより動画像のストリーミング配信が指示されると、たとえば、記録媒体１５０に記録されている動画像を読み出して、通信部１４０を介して、画像表示装置１０にストリーミング配信する。画像表示装置１０は、通信部４０を介して端末装置１００からストリーミング配信されてくる動画像を受信し、再生部３１によってストリーミング再生して、表示部２０に表示する。このとき表示制御部３２は、第１の実施の形態と同様に、再生部３１により再生されている動画像を、表示部２０の表示画面全体に表示する。
【００９８】
ユーザが端末装置１００を振動させると、画像表示装置１０の表示制御部３２は、図２０に示すように、動画像の表示エリアＭｖを縮小して、表示画面の中央左に配置すると共に、「録画」アイコンａ１６を表示画面の右部に表示させる。また、表示制御部３２は、「録画」アイコンａ１６の内部に、縦一列に並べて、「巻き戻し」アイコンａ１１、「再生」アイコンａ１２、「一時停止」アイコンａ１３、および「早送り」アイコンａ１４を表示させる。すなわち「録画」アイコンａ１６は、他の処理アイコンａ１１〜ａ１４と比較して、大きく表示される。
【００９９】
そして、図２１に示すように、ユーザが端末装置１００を右下に傾けると、画像表示装置１０の表示制御部３２は、動画像の表示エリアＭｖを右下に向かって移動させる。そして、動画像の表示エリアＭｖが「録画」アイコンａ１６に重なると、記録制御部３５は、第１の実施の形態と同様に、再生部３１によりストリーミング再生されている動画像の録画を開始する。このとき、表示制御部３２は、第１の実施の形態と同様に、表示画面上において、動画像の表示エリアＭｖが移動したことにより空いた領域（表示画面の左部）に、録画開始時のフレーム画像Ｆ１を表示する。なお、動画像の表示エリアＭｖでは、動画像の通常再生が継続して行われる。
【０１００】
その後、図２２に示すように、ユーザが端末装置１００をさらに右下に傾けると、画像表示装置１０の表示制御部３２は、動画像の表示エリアＭｖをさらに右下に向かって移動させる。そして、動画像の表示エリアＭｖが「早送り」アイコンａ１４に重なると、再生部３１は、動画像を早送り再生する。すなわち、動画像の表示エリアＭｖには、早送り再生中の動画像が表示される。
【０１０１】
また、ユーザが端末装置１００を左上に傾けると、画像表示装置１０の表示制御部３２は、動画像の表示エリアＭｖを左上に向かって移動させる。これにより、動画像の表示エリアＭｖと「早送り」アイコンａ１４とが重ならなくなると、再生部３１は、動画像の早送り再生を終了し、通常再生に戻す。
【０１０２】
このように本実施形態では、「録画」アイコンａ１６の内部に「早送り」アイコンａ１４が表示され、動画像の表示エリアＭｖが「録画」アイコンａ１６内の「早送り」アイコンａ１４に重ねられた場合には、動画像の録画中に動画像の早送り再生を行うことができる。
【０１０３】
なお、ここでは「早送り」アイコンａ１４を例に説明したが、この他の処理アイコンａ１１〜ａ１３についても同様に、動画像の録画中に各処理アイコンに対応する処理（巻き戻し、再生、一時停止）を行うことができる。
【０１０４】
このように、画像表示装置１０では、ストリーミング再生している動画像の録画中に、ユーザの所望に応じて動画像を早送りしたり、巻き戻ししたりすることができるので、ユーザは、直感的にかつ時間をかけずに動画像の切り出しの終了位置を探索することができる。
【０１０５】
その後、ユーザが端末装置１００の傾きを元に戻すと、画像表示装置１０の表示制御部３２は、動画像の表示エリアＭｖを、表示画面の中央の位置に移動させる（すなわち、元の位置に戻す）。すると、動画像の表示エリアＭｖと「録画」アイコンａ１６とが重ならなくなるので、記録制御部３５は、動画像の録画を終了する。記録制御部３５は、録画開始から録画終了までの動画像を、動画像ファイルとして記録媒体５０に記録する。また、表示制御部３２は、図２３に示すように、表示画面の右部に、録画した動画像の表示エリアＲｅを設け、録画した動画像を再生して表示する。
【０１０６】
−変形例−
次のような変形も本発明の範囲内であり、変形例の一つ、もしくは複数を上述の実施形態と組み合わせることも可能である。
【０１０７】
上述した第１の実施の形態において、図１０〜図１３で示したように、複数の動画像を表示している場合において、たとえば、ユーザが第１の動画像の表示エリアＭｖ１をドラッグして「早送り」アイコンａ３に重ねたとする。このとき、再生部３１は、第１の動画像の早送り再生を継続して行うと共に、第１の動画像の表示エリアＭｖ１が移動したことにより空いた領域（すなわち表示画面の中央左）に、第１の動画像および第２の動画像とは異なる第３の動画像を新たに再生して表示するようにしてもよい。このように動画像の表示エリアが移動したことにより空いた領域に、現在表示されている動画像とは異なる新たな動画像を再生して表示するようにしてもよい。
【０１０８】
上述した実施の形態では、動画像を再生する際に本発明を適用する例について説明したが、これに限らなくてよく、たとえば静止画をスライドショーで再生する際に本発明を適用してもよい。
【０１０９】
以上説明した各実施形態において、画像表示装置１０へのプログラムの供給は、図２４に例示するように、プログラムを格納したＣＤ−ＲＯＭなどの記録媒体２００をユーザへ提供してもよいし、ネットワークなどの通信回線２０１を経由する方法で画像表示装置１０へローディングしてもよい。通信回線２０１を経由する場合は、通信回線２０１に接続されたサーバー２０３のストレージ装置２０４などにプログラムを格納しておく。プログラムは、記録媒体２００や通信回線２０１を介する提供など、種々の形態のコンピュータプログラム製品として供給することができる。
【０１１０】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１１１】
１０…画像表示装置、２０，１２０…表示部、２１，１２１…タッチパネル、３０，１３０…制御部、３１…再生部、３２…表示制御部、３３…通信制御部、３４…操作検出部、３５…記録制御部、４０，１４０…通信部、５０，１５０…記録媒体、１００…端末装置
【図１】
2015158777.tif 000003
【図２】
2015158777.tif 000004
【図３】
2015158777.tif 000005
【図４】
2015158777.tif 000006
【図５】
2015158777.tif 000007
【図６】
2015158777.tif 000008
【図７】
2015158777.tif 000009
【図８】
2015158777.tif 000010
【図９】
2015158777.tif 000011
【図１０】
2015158777.tif 000012
【図１１】
2015158777.tif 000013
【図１２】
2015158777.tif 000014
【図１３】
2015158777.tif 000015
【図１４】
2015158777.tif 000016
【図１５】
2015158777.tif 000017
【図１６】
2015158777.tif 000018
【図１７】
2015158777.tif 000019
【図１８】
2015158777.tif 000020
【図１９】
2015158777.tif 000021
【図２０】
2015158777.tif 000022
【図２１】
2015158777.tif 000023
【図２２】
2015158777.tif 000024
【図２３】
2015158777.tif 000025
【図２４】
2015158777.tif 000026